(57)【要約】【課題】  簡単な構造で、扉の閉じ状態では確実にロックされ、扉の閉じ状態に対して両側方向に開くことができるラッチ錠を提供する。【解決手段】  揺動する扉１２の開放端付近に設けられ操作レバーにより突没可能なラッチヘッド１４と、扉１２を閉じた状態でその扉１２と隣接する固定扉１６等の部材のラッチヘッド１４が対向する位置に設けられたラッチ受部材１８とを有する。ラッチ受部材１８には、扉１２に対向する方向と扉１２の揺動方向の３方向が開放されたラッチヘッド収容部２２と、ラッチヘッド収容部２２に扉１２の揺動方向の端部に取り付けられラッチヘッド１４が間に入る一対のロック部材２８を備える。ロック部材２８は、扉１２が閉じるときには、ラッチヘッド収容部２２に進入するラッチヘッド１４に押されて扉１２を通過させ、扉１２が開こうとするときは、ラッチヘッド１４を止めて、扉１２をロックする。【選択図】      図１
2005146840.tif 000002
【特許請求の範囲】
【請求項１】
揺動する扉の開放端付近に設けられ操作レバーにより突没可能なラッチヘッドと、前記扉を閉じた状態でその扉と隣接する部材の前記ラッチヘッドが対向する位置に設けられたラッチ受部材と、前記ラッチ受部材に設けられ前記扉に対向する方向と前記扉の揺動方向の３方向が開放されたラッチヘッド収容部と、前記ラッチヘッド収容部に前記扉の揺動方向の端部に取り付けられ前記ラッチヘッドが間に入る一対のロック部材が設けられ、前記ロック部材は、前記扉が閉じるときには、前記ラッチヘッド収容部に進入する前記ラッチヘッドに押されて移動し前記扉を通過させ、前記扉が開こうとするときには、前記ラッチヘッド収容部から出る方向に移動する前記ラッチヘッドを止めて、前記扉をロックすることを特徴とするラッチ錠。
【請求項２】
前記ロック部材は、前記扉の揺動方向に対して平行な断面形状が略Ｌ字形に形成され、Ｌ字形の一方の直線部分は前記扉の揺動方向に対して交差し途中に揺動の軸部材が取り付けられ、さらに前記軸部材の側方に位置し前記ロック部材の被係止部に当接し前記ロック部材の外方への揺動を阻止する係止部が設けられ、Ｌ字形の他方の直線部分は前記扉の揺動方向に対して略平行に位置し、前記ラッチヘッドの側面に向かって突出し前記ラッチヘッドの外側への移動を止める保持部であることを特徴とする請求項１記載のラッチ錠。
【請求項３】
前記ラッチヘッドは、前記扉の揺動方向に対面する一対の側面が、先端に近付くにつれて細くなる傾斜面に形成され、前記ロック部材の前記保持部の前記ラッチヘッド側の側面は、前記ラッチヘッドの一対の側面に沿うように傾斜していることを特徴とする請求項１記載のラッチ錠。
【請求項４】
前記ラッチヘッドの一部に形成された凹部と、前記凹部の内周面に設けられた第一当接部と、前記凹部の内周面に設けられた第二当接部と、前記凹部内に設けられた回転カムと、前記回転カムに設けられ前記第一当接部の前記ラッチヘッドの前記扉への後退通路に位置し前記ラッチヘッドの後退側通路を閉鎖する後退防止突部と、前記回転カムに設けられ前記第二当接部の前記ラッチヘッドの突出側通路に位置し前記第二当接部を押して前記ラッチヘッドを後退させる後退操作突部と、前記回転カム部材を前記後退防止突部が前記ラッチヘッドの後退側通路で前記第一当接部に対向する位置に付勢する第一弾性体と、前記回転カムを第一弾性体の付勢力に対向して回転させるハンドルと、前記ラッチヘッドを突出方向に付勢する第二弾性体が設けられ、前記ハンドルを操作して前記回転カムの前記後退防止突部を前記第一当接部から離して前記ラッチヘッドの後退通路から移動させると、前記回転カムの前記後退操作突部が前記第二当接部に当接し前記ラッチヘッドを前記第二弾性体の付勢力に抗して前記扉内部へ後退させることを特徴とする請求項１または２記載のラッチ錠。
【請求項５】
前記ラッチヘッドは前記第二弾性体により前記一対のロック部材側へ付勢されて当接していることを特徴とする請求項１，２または４記載のラッチ錠。
【請求項６】
前記一対のロック部材は互いに対向する側面の間隔が上下方向に異なるように傾斜していることを特徴とする請求項１，２または４記載のラッチ錠。
【発明の詳細な説明】
【技術分野】
【０００１】
この発明は、揺動する扉の揺動端側とその対向部に取り付けられ、柱や固定扉等に扉を保持するラッチ錠に関する。
【背景技術】
【０００２】
従来、門扉やドアは、縦方向の一側縁部が蝶番を介して柱や壁等に取り付けられ、また他方の側縁部、つまり開放端にはラッチ錠のラッチヘッドが設けられている。ラッチ錠は、扉に取り付けられたラッチケースと、ラッチケースの開口部から側方へ突没するラッチヘッドが設けられている。ラッチヘッドは一側面が長細い矩形であり、その矩形の長手方向に対して平行な一つの角部が斜めに切り取られた形状で斜面を形成している。ラッチヘッドは、突出する方向へコイルバネ等で付勢され、ラッチケースに設けられているレバーにより、付勢力に抗して突没させる。
【０００３】
また、扉の開放端が対向する柱や固定扉の、ラッチヘッドに対して対向する位置には、ラッチ受部材が設けられ、ラッチ受部材にはラッチヘッドが差し込まれる凹部であるラッチヘッド収容部が形成されている。
【０００４】
次に、このラッチ錠の動作について説明する。扉を閉めるときは、ラッチヘッドの傾斜面がラッチ受部材に当接して、ラッチヘッドは扉内側に押し込められる。そして、ラッチヘッドがラッチヘッド収容部に一致したときにコイルバネにより付勢されて突出し凹部内に差し込まれ、ロックされる。一方、扉を開けるときは、レバーによりラッチヘッドを扉の内側に後退させて、扉を一方向に揺動させる。
【特許文献１】特開２００１−２２７２６９号公報
【発明の開示】
【発明が解決しようとする課題】
【０００５】
一般にラッチ錠は、柱や固定扉に対して片側方向のみに、開閉するように作られており、反対側には開くことがない。しかし、例えば歩行が困難な通行者が車椅子や歩行器で通行する際は、扉が通行者側のみに開くとき、レバーに手が届く程度に扉に近付くと扉の揺動と共に通行者自身も後退しなければならず、通行が困難であった。このため、扉が両側方向どちら側にも開くような構造が望まれている。
【０００６】
この問題を解決するために、両側方向に開くラッチ錠もあるが、構造が複雑なものであり、また簡単な構造の両開き扉の場合、扉がロックされない構造であった。
【０００７】
この発明は、前記従来の技術の問題点に鑑みてなされたものであり、簡単な構造で、扉の閉じ状態では確実にロックされ、扉の閉じ状態に対して両側方向に開くことができるラッチ錠を提供することを目的とする。
【課題を解決するための手段】
【０００８】
本発明は、揺動する扉の開放端付近に設けられ操作レバーにより突没可能なラッチヘッドと、前記扉を閉じた状態でその扉と隣接する部材の前記ラッチヘッドが対向する位置に設けられたラッチ受部材と、前記ラッチ受部材に設けられ前記扉に対向する方向と前記扉の揺動方向の３方向が開放されたラッチヘッド収容部と、前記ラッチヘッド収容部に前記扉の揺動方向の端部に取り付けられ前記ラッチヘッドが間に入る一対のロック部材が設けられ、前記ロック部材は、前記扉が閉じるときには、前記ラッチヘッド収容部に進入する前記ラッチヘッドに押されて移動し前記扉を通過させ、前記扉が開こうとするときは、前記ラッチヘッド収容部から出る方向に移動する前記ラッチヘッドを止めて、前記扉をロックするラッチ錠である。
【０００９】
また、前記ロック部材は、前記扉の揺動方向に対して平行な断面形状が略Ｌ字形に形成され、Ｌ字形の一方の直線部分は前記扉の揺動方向に対して交差し途中に揺動の軸部材が取り付けられ、さらに前記軸部材の側方に位置し前記ロック部材の被係止部に当接し前記ロック部材の外方への揺動を阻止する係止部が設けられ、Ｌ字形の他方の直線部分は前記扉の揺動方向に対して略平行に位置し、前記ラッチヘッドの側面に向かって突出し前記ラッチヘッドの外側への移動を止める保持部である。
【００１０】
また、前記ラッチヘッドは、前記扉の揺動方向に対面する一対の側面が、先端に近付くにつれて細くなる傾斜面に形成され、前記ロック部材の前記保持部の前記ラッチヘッド側の側面は、前記ラッチヘッドの一対の側面に沿うように傾斜しているものである。
【００１１】
また、前記ラッチヘッドの一部に形成された凹部と、前記凹部の内周面に設けられた第一当接部と、前記凹部の内周面に設けられた第二当接部が設けられている。前記凹部内には回転カムが設けられ、前記回転カムには前記第一当接部の前記ラッチヘッドの前記扉への後退通路に位置し前記ラッチヘッドの後退側通路を閉鎖する後退防止突部と、前記第二当接部の前記ラッチヘッドの突出側通路に位置し前記第二当接部を押して前記ラッチヘッドを後退させる後退操作突部が設けられている。そして、前記回転カム部材を前記後退防止突部が前記ラッチヘッドの後退側通路で前記第一当接部に対向する位置に付勢する第一弾性体と、前記回転カムを第一弾性体の付勢力に対向して手動で回転させるハンドルと、前記ラッチヘッドを突出方向に付勢する第二弾性体が設けられている。前記ハンドルを操作して前記回転カムの前記後退防止突部を前記第一当接部から離し前記ラッチヘッドの後退通路から移動させると、前記回転カムの前記後退操作突部が前記第二当接部に当接し前記ラッチヘッドを前記第二弾性体の付勢力に対抗して前記扉へ後退させる。
【００１２】
また、前記ラッチヘッドは前記第二弾性体により前記一対のロック部材に付勢されて当接している。前記一対のロック部材は互いに対向する側面の間隔が上下方向に異なっている。
【発明の効果】
【００１３】
本発明のラッチ錠は、簡単な構造で、扉を閉める位置に対して、両側方向に扉を開閉することができる。扉を閉めるときは、扉を閉める部材に近付けるだけで、一対のうち一方のロック部材を簡単に回転さてラッチヘッドが通過可能な状態とし、扉が閉じたときにはロック部材が元の位置に戻り、確実にラッチヘッドをロックすることができる。これにより、歩行が困難な通行者が車椅子や歩行器でいずれの方向から来ても、自分の位置と反対の、進行方向へ扉を開けて、容易に通過することができるとともに、扉のロックも可能である。
【発明を実施するための最良の形態】
【００１４】
以下、この発明の実施形態について、図面に基づいて説明する。図１、図２は、この発明の第一実施形態を示すものであり、この実施形態のラッチ錠１０は、扉１２のほぼ垂直な開放端１２aに、ラッチヘッド１４が突没可能に設けられている。ラッチヘッド１４の、扉１２の揺動方向に対向する一対の側面１４ａ，１４ｂは、ラッチヘッド１４の先端に近付くにつれて互いに近付く傾斜面であり、この傾斜面はラッチボルト１４内側へ窪むように湾曲されている。ラッチヘッド１４は、図示しないコイルバネなどで、突出方向へ付勢されている。また、ラッチヘッド１４は、扉１２に設けられた図示しないレバーに連動して突没動作が行われる。
【００１５】
扉１２が閉じ状態でロックされた固定扉１６には、ラッチヘッド１４に対向する部分に空間が形成され、この空間の内側にラッチ受部材１８がネジ２０で固定されている。ラッチ受部材１８の、縦方向の中央部分には、固定扉１６側を除く三方向、つまり扉１２に対向する方向と扉１２の揺動方向に開放された空間であるラッチヘッド収容部２２が設けられている。ラッチヘッド収容部２２の、上面２２ａと、下面２２ｂには、固定扉１６の厚み方向の端部寄りに、軸受穴２４が各々形成されている。ラッチヘッド収容部２２の、固定扉１６側の内側面２２ｃには、各軸受穴２４よりも中心側で内側面２２ｃ寄りの位置に突出する係止部である板状の係止突起２６が、内側面２２ｃに対して直角に設けられている。
【００１６】
ラッチ受部材１８のラッチヘッド収容部２２には、扉１２の揺動方向に沿って、一対のロック部材２８が取り付けられている。ロック部材２８は、扉１２の揺動方向に対して平行な断面形状は略Ｌ字形に形成され、一方の直線部分はラッチ受部材１８の係止突起２６の外側面２６ａに当接する被係止部である係止板３０と、係止板３０の基端部に設けられラッチ受部材１８の軸受穴２４に連通する透孔３２が設けられている。他方の直線部分は、係止板３０に対してほぼ直角に延出する保持部３４である。保持部３４の先端は、ラッチヘッド収容部２２の中心付近に達し、保持部３４の側面３４ａは、ラッチヘッド１４の各側面１４ａ，１４ｂに沿うように、外側に膨らむように湾曲している。
【００１７】
一対のロック部材２８は、扉１２の揺動方向に対して平行な断面形状が、互いに対称形に設けられている。各透孔３２には軸部材３６が挿通され、軸部材３６は、ラッチヘッド収容部２２の、上面２２ａと下面２２ｂに設けられた軸受穴２４に突接された図示しない支持ピンに、上下端を保持されている。これにより、ロック部材２８は、ラッチ受部材１８に対して回転可能となる。また、軸部材３６を囲むつるまきバネ３８が取り付けられ、つるまきバネ３８の端部はそれぞれロック部材２８の保持部３４のラッチヘッド収容部２２中側面と、ラッチ受部材１８の係止突起２６のラッチヘッド収容部２２中側面に当接している。なお、つるまきバネ３８は、ロック部材２８の中央部に設けられた溝部３９に嵌合されている。これにより、ロック部材２８は、ロック部材２８の係止板３０がラッチ受部材１８の係止突起２６外側面２６ａに当接して付勢される。
【００１８】
次に、この実施形態のラッチ錠１０の動作作用について説明する。扉１２を開けるときは、図示しないレバーを操作してラッチヘッド１４を、ラッチ受部材１８のラッチヘッド収容部２２から退避させ、固定扉１６との係合を解除する。この状態で扉１２は、固定扉１６に対して両側方向に開けることができる。
【００１９】
扉１２を閉めるときは、図２（ａ）に示すように扉１２を固定扉１６に向かって両側方向のいずれからか閉じていく。このときは、ロック部材２８の係止板３０がラッチ受部材１８の係止突起２６外側面２６ａに当接し、ロック部材２８の保持部３４はラッチヘッド１４の進入軌跡上にある。さらに、扉１２を閉じると、図２（ｂ）に示すようにラッチヘッド１４の側面１４ａ，１４ｂのいずれかがロック部材２８の保持部３４の外側面に当接し、つるまきバネ３８を弾性変形させながらロック部材２８を、係止板３０と係止突起２６外側面２６ａが離れる方向に回転させる。ロック部材２８が、係止板３０と係止突起２６外側面２６ａの角度が約９０度にまで回転すると、ロック部材２８の保持部３４は、ラッチヘッド１４の侵入する位置から、ラッチヘッド収容部２２の内側面２２ｃ近くに移動する通過可能状態となる。ラッチヘッド１４がラッチヘッド収容部２２のほぼ中央に入りロック部材２８から離れると、図２（ｃ）に示すようにつるまきバネ３８により、ロック部材２８元の状態に戻りロック状態になる。このとき、ロック部材２８先端は、ラッチヘッド２４の側面１４ａ，１４ｂに、わずかに離れてほぼ直角に位置し、ラッチヘッド１４がラッチヘッド収容部２２から出ることを防ぐ。
【００２０】
この実施形態のラッチ錠１０によれば、簡単な構造で、固定扉１６に対して両側のいずれの方向でも、扉１２を開閉することができる。扉１２を閉めるときは、固定扉１６に近付けるだけで、一対のうち一方のロック部材２８を簡単に回転さて通過可能状態とし、扉１２が閉じた後にはロック部材２８が元の位置に戻り、確実にロックすることができる。これにより、歩行が困難な通行者が車椅子や歩行器でいずれの方向から来ても、自分の位置と反対の、進行方向へ扉１２を開けて、容易に通過することができる。またこの実施形態のラッチ錠１０を備えた扉１２を、その下の床面に段差がないバリアフリーの通路に用いると、より障害者が使用しやすいものとなり、付加価値が高くなる。扉１２を、レバーなどの部材を薄形にしたものを用いると、通行者や車椅子に引っかかることがなく、より安全なものとなる。
【００２１】
なお、この発明のラッチ錠１０は、前記実施形態のように、扉１２と固定扉１６のロックに用いられる以外に、扉１２と、枠や壁などとのロックに使用することができる。ラッチ錠１０を取り付ける位置も自由に選択可能である。例えば、図３に示すように、建築物に枠４０が設けられ、枠４０内には、両開き式の一対の扉４２が設けられている。扉４２の一側縁部４２ａは、枠４０の縦部材に、蝶番４４を介して取り付けられている。扉４２の上端部４２ｂには、扉４２の開放端部４２ｃ寄りの位置に、ラッチヘッド４６が上方に突出して設けられている。ラッチヘッド４６は、図示しない機構を介してレバー４５により突没動作をすることができる。枠４０の横部材には、ラッチヘッド４６に対向する位置に、ラッチ受部材４８が設けられている。ラッチ受部材４８には、扉４２の揺動方向に沿って、一対のロック部材が設けられ、第一実施形態と同様の構造を有している。
【００２２】
また、この発明のラッチ錠は、各部材の形状を適宜変更可能であり、例えば、図４に示すラッチ錠４９のように、ラッチ受部材５０のラッチヘッド収容部５２の上面５２ａと下面５２ｂに、固定扉１６の厚み方向の外側端部に設けられた係止部である係止段部５４が形成されているものでも良い。係止段部５４は、上面５２ａと、下面５２ｂから各々凸状にされている。係止段部５４の端部中間付近には、軸受穴５６が各々形成されている。
【００２３】
一方、ラッチヘッド収容部５２には、一対のロック部材５８が取り付けられている。ロック部材５８は、扉１２の揺動方向に対して平行な断面形状はＬ字形に形成され、一方の直線部分は係止段部５４の軸受穴５６から扉１２側に重ねられる取付板６０となり、他方の直線部分は、取付板６０に対してほぼ直角に延出する保持部６４である。取付板６０には、ラッチ受部材５０の軸受穴５６に連通する透孔６２が設けられている。保持部６４には、取付板６０が係止段部５４に重ねられているロック状態のときに、係止段部５４と重ならない部分に、被係止部である被係止段部６６が設けられている。被係止段部６６は、保持部６４から高く形成され、係止段部５４に隣接して当接する。また、ロック部材５８は図示しないつるまきバネにより被係止段部６６が、ラッチ受部材５０の係止段部５４に隣接して当接する方向に付勢されている。
【００２４】
このラッチ錠４９によれば、前記実施形態のラッチ錠１０と同様の動作を行い、同様の効果を有する。そして、ラッチ錠４９は、ラッチヘッド１４がラッチ受部材５０に入るときにロック部材５８を回転させるとき、ロック部材５８がラッチ受部材５０の外側に突出する部位がなく、コンパクトである。
【００２５】
次に、この発明の第二実施形態について図５〜図８に基づいて説明する。ここで、前記実施形態と同様の構成は同一の符号を付して説明を省略する。この実施形態のラッチ錠６８は、扉１２側に取り付けられた箱体である本体７０が設けられている。本体７０は、取り付けるときに扉１２の回転方向に対してほぼ直角に位置する側面部７２と、側面部７２の３個の辺に連接され側面部７２に対して直角に位置する壁部７４，７６，７８が設けられている。
【００２６】
壁部７４，７８の、壁部７６と反対側端部には、壁部７６に対して平行な一対の取付部８０が設けられている。取付部８０は、本体７０の上下方向に突出して設けられている。取付部８０の中央付近は、後述するラッチヘッド１００が挿通されるラッチヘッド挿通口８２が形成されている。壁部７４，７６，７８の、側面部７２と反対側の開口縁部は、本体７０の内側を一周して一段低くなっている段部８３が設けられている。
【００２７】
本体７０の、取り付け状態で上面に位置する壁部７８のほぼ中心付近に、本体７０の内側に突出し側面部７２に対して直角方向に連続する第一凸部８４が設けられ、第一凸部８４は段部８３と面一に形成されその中心にはネジ穴８６が形成されている。壁部７８と隣接している壁部７６の角部にも、ネジ穴８８が形成されている。本体７０の、取り付け状態で下面に位置する壁部７４のほぼ中心付近に、本体７０の内側に突出し側面部７２に対して直角方向に連続する第二凸部９０が設けられ、第二凸部９０は段部８３より低く形成されている。壁部７４と取付板８０の角部付近には第三凸部９２が設けられ、第三凸部９２は段部８３と面一に形成されその中心にはネジ穴９４が形成されている。
【００２８】
側面部７２の、壁部７４寄りの位置に、第二凸部９０よりも扉１２の中心側の位置に、後述する回転カム部材１１４が回転可能に嵌合される浅い円筒状の回転カム部材用凹部１１５が形成されている。回転カム部材用凹部１１５よりも壁部７６側に、円柱状の第一軸部材９６が側面部７２に対して直角に形成され、第一軸部材９６よりもさらに壁部７６側に、第二軸部材９８が設けられている。第二軸部材９８の中心にはネジ穴９９が形成されている。また、側面部７２の、壁部７８寄りの位置に、第一凸部８４よりも扉１２の中心側の位置に、軸部材９７が嵌合される図示しない軸部材用凹部が形成されている。側面部７２と対向する矩形の開口部には、図示しない板状の蓋が、段部８３に当接して設けられ、蓋にはネジ穴８６，８８，９４，９９に連通する透孔が設けられ、各々ネジで固定されている。
【００２９】
本体７０の内側には、ラッチヘッド１００が設けられている。ラッチヘッド１００は、側面部７２に対して平行な一対の側面１００ａ，１００ｂに、ラッチヘッド１００の先端１００ｃに近づくにつれて互いに近づく傾斜面１０２が形成されている。ラッチヘッド１００の壁部７８に対して平行に対面する面には、壁部７８の第一凸部８４に対して移動可能に嵌合する第一凹部１０４が形成されている。
【００３０】
またラッチヘッド１００の壁部７４に対して平行な面には、後述する回転カム部材１１４が回転可能に嵌合される第二凹部１０６が形成されている。第二凹部１０６は、壁部７４に対して平行にくぼんだ部分と、壁部７６に対して平行にくぼんだ部分からなる略Ｌ字形に形成されている。第二凹部１０６の内周面には、第二凸部９０と第三凸部９２の間に突出する第一当接部１０８が設けられている。第一当接部１０８は、ラッチヘッド１００が扉１２の外側に突出しているときは壁部７４の第三凸部９２に当接して、ラッチヘッド１００の突出量を規制し、ラッチヘッド１００に後退させる方向に力がかかったときは後述部する回転カム部材１１４に当接して後退を防止する。第二凹部１０６の内周面の壁部７２側の部分は、壁部７２に対して平行な第二当接部１０９となる。また、第二凹部１０６は、ラッチヘッド１００を貫通しておらず、第二凹部１０６の内側の側面部７２側に、側面部７２に対して平行な板部１１０が設けられている。板部１１０には、側面部７２に取り付けられた軸部材９７が移動可能に嵌合されるガイド孔１１２が形成されている。ガイド孔１１２は、ラッチヘッド１００の移動方向に長く形成されている。
【００３１】
側面部７２側の第二凹部１０６には、回転カム部材１１４が設けられている。回転カム部材１１４は、側面部７２に対して平行な一対の側面を有し、側面部７２に形成された回転カム部材用凹部１１５に差し込まれる円柱状の軸部材１１６が設けられ、軸部材１１６をほぼ中心として、ラッチヘッド１００の突出方向に伸びる後退防止突部１１８と、ラッチヘッド１００の突出方向に対して直角に、本体７０の壁部７８側へ延出する後退操作突部１２０からなる略Ｌ字形に形成されている。回転カム部材１１４の、側面部７２と反対側の図示しない蓋側にも円柱状の軸部材１１６が突出し、軸部材１１６の中心には四角柱状の透孔１２２が貫通して形成されている。透孔１２２には、四角柱状の軸部材１２４が挿通され、軸部材１２４は本体７０と蓋の外側に突出して棒状のハンドル１２６が取り付けられている。
【００３２】
側面部７２の第一軸部材９６には、付勢手段である第一つるまきバネ１２８が取り付けられている。第一つるまきバネ１２８の一方の端部は壁部７４に、他方の端部は回転カム部材１１４の後退操作突部１２０に当接し、回転カム部材１１４を図面上反時計回りに回転する方向に付勢している。このとき回転カム部材１１４の後退防止突部１１８は壁部７４の第二凸部９０に当接して位置決めされる。第二軸部材９８には、第二つるまきバネ１３０が取り付けられている。第二つるまきバネ１３０の一方の端部は壁部７６に、他方の端部はラッチヘッド１００の、先端１００ｃと反対の端部１００ｄに当接し、ラッチヘッド１００を図面上左向きに付勢している。このときラッチヘッド１００の第一当接部１０８が壁部７４の第三凸部９２に当接して位置決めされる。
【００３３】
本体７０の、取り付け板８０の外側面には、化粧カバー１３２がネジを介して取り付けられ、化粧カバー１３２にはラッチヘッド挿通口８２に連通する透孔１３４が形成されている。
【００３４】
また、扉１２が閉じ状態でロックされる固定扉１６には、ラッチヘッド１００に対向する部分にラッチ受部材１３６がネジで固定されている。ラッチ受部材１３６にはラッチヘッド収容部１３８が設けられ、ラッチヘッド収容部１３８には扉１２の揺動方向に沿って一対のロック部材１４０が取り付けられている。ロック部材１４０は、扉１２の揺動方向に対して平行な断面形状は略繭形状であり、一方の端部１４０ａは直径が大きい円弧で形成され、端部１４０ａから離れるに従い幅が狭くなり、反対側の端部１４０ｂは直径が小さい円弧で形成されている。端部１４０ａの円の中心には透孔１４０ｃが貫通して設けられている。ロック部材１４０は、端部１４０ａが扉１２から離れた位置に、端部１４０ｂが扉１２に近い位置に来るように長手方向が扉１２の揺動方向に対して直角に位置するように取り付けられている。透孔１４０ｃには、軸部材１４２がラッチ受部材１３６を貫通して挿通され、ロック部材１４０がラッチ受部材１３６に軸止されている。
【００３５】
ロック部材１４０の上端面と下端面には、上方または下方にそれぞれ突出する図示しない係止突起が設けられている。一対のロック部材１４０は対称形に設けられ、互いに対面する傾斜面１４４は、端部１４０ａ側が互いに近く、端部１４０ｂに近づくにつれて互いに離れる方向に形成されている。
【００３６】
また、一対のロック部材１４０は上下方向に互いに平行ではなく、下方に近づくにつれて互いに近づくＶ字状に取り付けられている。同様に、ラッチヘッド１００の傾斜面１０２もロック部材１４０の傾斜と平行に、Ｖ字状の傾斜を有して形成されていると良い。これにより、一対のロック部材１４０とラッチヘッド１００の隙間をなくす調整が容易且つ正確になる。なお、傾斜はＶ字状が逆向きでも良く、適宜設定し得る。
【００３７】
また、ロック部材１４０には図示しないつるまきバネが取り付けられ、一対のロック部材１４０は、扉１２の揺動方向に対して平行に、ラッチ受け部１３６の外側へ向かって互いに離れる方向に付勢されている。そして、ロック部材１４０の図示しない係止突起が、ラッチ受け部材１３６の一部に当接し、それ以上外側へ開かないようにガイドされている。
【００３８】
次に、この実施形態のラッチ錠６８の動作作用について説明する。先ず、扉１２を閉めるときは、図７（ａ）に示すように、扉１２を固定扉１６に向かって両側方向のいずれからか閉じてゆく。このときは、ロック部材１４０の端部１４０ｂはラッチヘッド１００の侵入位置にある。さらに、扉１２を閉じると、図７（ｂ）に示すように、ラッチヘッド１００の傾斜面１０２がロック部材１４０の外側面に当接し、ラッチヘッド１００は、第二つるまきバネ１３０に抗して僅かに後退するとともに、ロック部材１４０の図示しないつるまきバネを弾性変形させて、ロック部材１４０の端部１４０ｂがラッチ受部材１３６の内側へ向かう方向に回転する。これにより、ラッチヘッド１００が、通過可能状態となる。
【００３９】
ラッチヘッド１００が通過してラッチヘッド収容部１３８のほぼ中央に入ると、図７（ｃ）に示すようにつるまきバネによりロック部材１４０は元の位置に戻り、ラッチヘッド１００も第二つるまきバネ１３０により突出し、ロック状態となる。このとき、ロック部材１４０の傾斜面１４４に、ラッチヘッド１００の傾斜面１０２及び側面が第二第二つるまきバネ１３０により付勢されて接触し、がたつきがない。また、ラッチヘッド１００の第一当接部１０８は、回転カム部材１１４の後退防止突部１１８に対向し、扉１２が開くことができる位置への後退が抑えられ、ロックされる。
【００４０】
扉１２を開けるときは、図８（ａ）の閉じ状態から、ハンドル１２６を開動させ図６のように回転カム部材１１４が第一つるまきバネ１２８を弾性変形させて回転し、回転カム部材１１４の後退防止突部１１８がラッチヘッド１００の第一当接部１０８から離れて第二凹部１０６に入り、第一当接部１０８と後退防止突部１１８の対向が解消され、ラッチヘッド１００は後退可能となる。この状態で、扉１２を一方のロック部材１４０のへ移動させ更に力を加えると、図８（ｃ）のようにロック部材１４０の傾斜面１４４に、ラッチヘッド１００の傾斜面１０２が当接し、ラッチヘッド１００が第二つるまきバネ１３０を弾性変形させて本体７０の中に後退し、ロック部材１４０の端部１４０ｂを乗り越え、図８（ｄ）のように、ラッチ受部材１３６の外へ出る。そして第二つるまきバネ１３０の弾性力により、図８（ｅ）に示すようにラッチヘッド１００が元の突出した状態となる。
【００４１】
この実施形態のラッチ錠６８によれば、扉１２を固定扉１６にがたつきなく確実にロックすることができる。扉１２を開くときは、ハンドル１２６を押し下げてロックを解除するだけで、後は扉１２の移動によりラッチヘッド１００が自動的に没して、簡単に弱い力でも扉１２を両側のいずれの方向へも開けることができる。そして一対のロック部材１４０は互いに平行ではなく、互いに近づく方向に傾斜したＶ字状に取り付けられているため、ロック部材１４０とラッチヘッド１００の相対的な上下方向の位置を変えることによりロック部材１４０とラッチヘッド１００の隙間をなくす調製を容易に行うことができる。
【００４２】
なお、この発明のラッチ錠は前記実施形態に限定されるものではなく、ロック部材の形状は適宜設定可能であり、Ｌ字状以外の形状でも良い。また、ロック部材の配置は、互いに対向させて一対設けるほか、互いに違いに配置して設けることも可能である。これによりラッチ錠の厚さをより薄くすることができる。さらに、ラッチヘッドやロック部材を複数組設けても良く、適宜選択可能である。さらに、この発明のラッチ錠の用途は、門扉以外に室内外の扉に利用可能であり、その用途は問わない。
【図面の簡単な説明】
【００４３】
【図１】この発明の第一実施形態のラッチ錠の横断面図である。
【図２】この発明の第一実施形態のラッチ錠の、扉を閉める工程を示す斜視図である。
【図３】この発明の第一実施形態のラッチ錠の変形例を示す正面図である。
【図４】この発明の第一実施形態のラッチ錠の変形例を示す横断面図である。
【図５】この発明の第二実施形態のラッチ錠の縦断面図である。
【図６】この発明の第二実施形態のラッチ錠の他の状態を示す縦断面図である。
【図７】この発明の第二実施形態のラッチ錠の、扉を閉める工程を示す横断面図である。
【図８】この発明の第二実施形態のラッチ錠の、扉を開ける工程を示す横断面図である。
【符号の説明】
【００４４】
１０  ラッチ錠
１２  扉
１４  ラッチヘッド
１６  固定扉
１８  ラッチ受部材
２０  ネジ
２２  ラッチヘッド収容部
２４  軸受穴
２６  係止突起
２８  ロック部材
３０  係止板
３２  透孔
３４  保持部
３６  軸部材
３８  つるまきバネ
【図１】
2005146840.tif 000003
【図２】
2005146840.tif 000004
【図３】
2005146840.tif 000005
【図４】
2005146840.tif 000006
【図５】
2005146840.tif 000007
【図６】
2005146840.tif 000008
【図７】
2005146840.tif 000009
【図８】
2005146840.tif 000010